(57)【特許請求の範囲】
【請求項１】
穀粒を収容して底部前側の排出口（１）から排出できる貯留槽（２）の底部に、前記貯留槽（２）の前壁（３）下の排出口（１）と対向の奥壁（４）から前記排出口（１）へ下り傾斜して、スイープスリット（５）を形成のセンタフロアパネル（６）と、このセンタフロアパネル（６）の左右両側部に位置して左右両側壁（７）からこのセンタフロアパネル（６）側へ下り傾斜してスイープスリット（８）を形成のサイドフロアパネル（９）とからなるスイープフロア（１０）を敷設し、
スイープフロア（１０）を構成するセンタフロアパネル（６）と、センタフロアパネル（６）の左右両側部のサイドフロアパネル（９）を設定角度で接続する構成とし、
センタフロアパネル（６）の傾斜角度（α）を緩く形成するのに対し、サイドフロアパネル（９）の傾斜角度（β）を急に設定し、
貯留槽（２）の底部には、センタフロアパネル（６）を取付支持するセンタフレーム部（２４）と、サイドフロアパネル（９）を取付支持するサイドフレーム部（２５）を構成し、
センタフレーム部（２４）はセンタフロアパネル（６）に沿う形状の縁枠（２６）を備え、サイドフレーム部（２５）はサイドフロアパネル（９）に沿う形状の縁枠（２７）を備え、
センタフレーム部（２４）の縁枠（２６）及びサイドフレーム部（２５）の縁枠（２７）は、格子状に組合せた格子桟（２８）をそれぞれ備えると共に、床面上に立設する支柱（３０）で支持される構成とし、
センタフレーム部（２４）の縁枠（２６）の奥辺部と、サイドフレーム部（２５）の縁枠（２７）の側辺部を同一水平面上に配置し、
センタフレーム部（２４）の縁枠（２６）とサイドフレーム部（２５）の縁枠（２７）の対向辺部は、角形断面形態の角材（３１、３２）の上端外角部を突き合わせて固定することを特徴とする穀粒貯留槽。
【請求項２】
センタフロアパネル（６）のスイープスリット（５）は、墳風が排出口（１）側に向けて噴き出す形状とし、サイドフロアパネル（９）のスイープスリット（５）はセンタフロアパネル（６）に向けて噴き出す形状とすることを特徴とする請求項１記載の穀粒貯留槽。
【発明の詳細な説明】
【技術分野】
【０００１】
この発明は、収穫穀粒や、乾燥調整穀粒等を収容貯蔵する穀粒貯留槽に関する。
【背景技術】
【０００２】
貯留槽の円錐形状漏斗の底板中央部に排出口、及びシャッタを設け、この底板は多孔板からなり、この排出口に向けて下り傾斜の漏斗形態に形成し、この多孔板の下側に吸気室を配置した技術（例えば、特許文献１参照）が知られている。
【先行技術文献】
【特許文献】
【０００３】
【特許文献１】特開平１０ー３１３６７１号公報
【発明の概要】
【発明が解決しようとする課題】
【０００４】
貯留槽の底部にスイープスリットを形成のスイープフロアを設けて、このスイープフロア下側の風圧室からスイープスリットを経て貯留槽内に吹込む噴風によって、穀粒水分を調整し、貯留槽内の穀粒を排出口から取出すが、このスイープフロアが平坦面に近い形態では、この取出に長時間を要し、又、このスイープフロアの排出口が中央部に形成されている形態では、排出口位置が高くなり易く、貯留槽の外周部位置から奥側に深い位置となって、この排出口、乃至このシャッター等のメンテナンス作業の行い難い状態となる。
【課題を解決するための手段】
【０００５】
請求項１に記載の発明は、穀粒を収容して底部前側の排出口（１）から排出できる貯留槽（２）の底部に、前記貯留槽（２）の前壁（３）下の排出口（１）と対向の奥壁（４）から前記排出口（１）へ下り傾斜して、スイープスリット（５）を形成のセンタフロアパネル（６）と、このセンタフロアパネル（６）の左右両側部に位置して左右両側壁（７）からこのセンタフロアパネル（６）側へ下り傾斜してスイープスリット（８）を形成のサイドフロアパネル（９）とからなるスイープフロア（１０）を敷設し、
スイープフロア（１０）を構成するセンタフロアパネル（６）と、センタフロアパネル（６）の左右両側部のサイドフロアパネル（９）を設定角度で接続する構成とし、
センタフロアパネル（６）の傾斜角度（α）を緩く形成するのに対し、サイドフロアパネル（９）の傾斜角度（β）を急に設定し、
貯留槽（２）の底部には、センタフロアパネル（６）を取付支持するセンタフレーム部（２４）と、サイドフロアパネル（９）を取付支持するサイドフレーム部（２５）を構成し、
センタフレーム部（２４）はセンタフロアパネル（６）に沿う形状の縁枠（２６）を備え、サイドフレーム部（２５）はサイドフロアパネル（９）に沿う形状の縁枠（２７）を備え、
センタフレーム部（２４）の縁枠（２６）及びサイドフレーム部（２５）の縁枠（２７）は、格子状に組合せた格子桟（２８）をそれぞれ備えると共に、床面上に立設する支柱（３０）で支持される構成とし、
センタフレーム部（２４）の縁枠（２６）の奥辺部と、サイドフレーム部（２５）の縁枠（２７）の側辺部を同一水平面上に配置し、
センタフレーム部（２４）の縁枠（２６）とサイドフレーム部（２５）の縁枠（２７）の対向辺部は、角形断面形態の角材（３１、３２）の上端外角部を突き合わせて固定することを特徴とする穀粒貯留槽の構成とする。
【０００６】
貯留槽２に籾等を収容して水分調整しながら保存するときは、この底部のスイープフロア１０のセンタフロアパネル６のスリープスリット５や、サイドフロアパネル９のスリープスリット８から乾燥風を吹上げて、貯留槽２に通して調整維持する。又、この貯留していた穀粒を排出口１から取出して乾燥機や、籾摺機等へ供給するときは、排出口１のシャッタを開いて、貯留槽２の穀粒を排出口１から取出す。排出口１から流出される穀粒が多いときは、自重流下によって円滑に行われるが、スイープフロア１０上の穀粒量が少なくなると、下側の風圧室から各スイープスリット５、８を通して噴上される風圧によってスイープフロア１０面上へ浮上されながら、このセンタフロアパネル６、及びサイドフロアパネル９の傾斜面に沿って噴送案内されて、センタフロアパネル６上面の穀粒は前側の排出口１へ噴送され、サイドフロアパネル９上面の穀粒は前記センタフロアパネル６及び排出口１へ噴送排出される。
【０００７】
【０００８】
請求項２記載の発明は、センタフロアパネル（６）のスイープスリット（５）は、墳風が排出口（１）側に向けて噴き出す形状とし、サイドフロアパネル（９）のスイープスリット（５）はセンタフロアパネル（６）に向けて噴き出す形状とすることを特徴とする請求項１記載の穀粒貯留槽とする。
【０００９】
【００１０】
【発明の効果】
【００１１】
請求項１に記載の発明は、スイープフロア１０の傾斜によって、排出穀粒量が少なくなった排出終盤時において、穀粒の排出口１への噴送排出を迅速、円滑に行わせることができる。とくに、スイープフロア１０は、センタフロアパネル６と、この左右両側部のサイドフロアパネル９とから構成されるため、サイドフロアパネル９上面の穀粒がセンタフロアパネル６上面へ噴送供給され易く、センタフロアパネル６上面の穀粒密度を終盤近くまで高く維持して、排出口１への噴送排出効率を有効維持し、排出時間を短縮することができる。又、前記排出口１を、貯留槽２の前壁３下部に形成するため、穀粒の排出状態や、シャッタ等の開閉状態等の点検や、メンテナンス等を貯留槽２の前壁３側外周部から簡単、容易に行うことができる。
【００１２】
また、センタフロアパネル６とサイドフロアパネル９を安定して支持することができる。
【００１３】
請求項２記載の発明によると、
貯留穀粒の排出の最終行程で、サイドフロアパネル８上面の穀粒がセンタフロアパネル６上面に合流して排出される。これにより、サイドフロアパネル８上面の噴送処理を迅速に行うと共に、センサフロアパネル６上面の噴送排出処理を迅速に行うことができる。
【００１４】
【図面の簡単な説明】
【００１５】
【図１】平面配置図。
【図２】その送風室部の平面配置図。
【図３】その正面図。
【図４】その側断面図。
【図５】スイープフロア支持フレーム部の斜視図。
【図６】その平面図。
【図７】その正面図。
【図８】その側面図。
【図９】フロアパネル部の平面図。
【発明を実施するための形態】
【００１６】
図面に基づいて、貯留槽２はベルトコンベアによる取出コンベア１１の左右両側部に沿って複数個配置して、各貯留槽２の底部には一定高さ位置にスイープフロア１０を設け、このスイープフロア１０の取出コンベア１１側の前壁３には排出口１を形成して、この排出口１の外側に取出シュート１２を設けて、前記取出コンベア１１上にのぞませて排出穀粒を搬送させる。又、左右両側部に並ぶ各貯留槽２の上側部にわたって供給コンベア１４を設けて、先端部に拡散盤１５を有する拡散装置１６を設けて、この拡散装置１６をガイドレール１７に沿って移動制御して、前記供給コンベア１４から搬送される穀粒をいずれか選択した貯留槽２に拡散しながら供給することができる。前記スイープフロア１０の下部には、送風室１８を形成して、この送風室１８からスイープフロア１０のスイープスリット５、８を通して上側の貯留槽２内へ噴風することができる。前記各貯留槽２の奥壁４外側には、送風機１９と連通のダクト２０を形成して、送風口２１のシャッター２２を開くことによって、各貯留槽２底部の送風室１８へ送風することができる。
【００１７】
前記スイープフロア１０は、取出コンベア１１側とは反対の奥壁４側を高位に、前壁３側を低位にして排出口１へ下り傾斜に形成し、この前壁３の下端部でスイープフロア１０幅の中央部に排出口１、及びこの排出口１を開閉する排出口シャッター２３を設け、この排出口シャッター２３を開くことによって、貯留槽２に収容している穀粒を排出口１から取出シュート１２を経て取出コンベア１１へ取出すことができる。前記スイープフロア１０は、横幅方向中央部のセンタフロアパネル６と、この左右両側部のサイドフロアパネル９とから構成し、前記排出口１の左右両側端部から貯留槽２の奥壁４の左右角部にわたる傾斜直線状の接合部Ａ上で屈曲形成して、角形漏斗状の屈曲面形態である。センタフロアパネル９にはスリープスリット５を形成して、下側の送風室１８から送込まれる風圧を、上側の貯留室２の排出口１側へ向けて噴風させて、このセンタフロアパネル９上面の穀粒を浮上させるようにして排出口１側へ噴送させる。又、サイドフロアパネル９に形成のスイープスリット８も同様に構成して、このサイドフロアパネル９の傾斜下り方向へ噴送するように形成している。
【００１８】
ここにおいて、穀粒を収容して底部一側の排出口１から排出できる貯留槽２の底部に、前記貯留槽２の前壁３下の排出口１と対向の奥壁４から前壁３側の排出口１へ下り傾斜して、スイープスリット５を形成のセンタフロアパネル６と、前記センタフロアパネル６の左右両側部に位置して左右両側壁７からこのセンタフロアパネル６側へ下り傾斜してスイープスリット８を形成のサイドフロアパネル９とからなるスイープフロア１０を敷設した穀粒貯留槽の構成とする。
【００１９】
貯留槽２に籾等を収容して水分調整しながら保存するときは、この底部のスイープフロア１０のセンタフロアパネル６のスリープスリット５や、サイドフロアパネル９のスリープスリット８から乾燥風を吹上げて貯留槽２へ通して調整維持する。又、この貯留していた穀粒を排出口１から取出して乾燥機や、籾摺機等へ供給するときは、排出口１のシャッタを開いて、貯留槽２の穀粒を排出口１から取出コンベアへ取出す。排出口１から流出される穀粒が多いときは、自重流下によって円滑に行われるが、スイープフロア１０上の穀粒量が少くなると、下側の風圧室から各スイープスリット５、８を通して噴上される風圧によってスイープフロア１０面上へ浮上されながら、このセンタフロアパネル６、及びサイドフロアパネル９の傾斜面に沿って噴送案内されて、センタフロアパネル６上面の穀粒は前側の排出口１へ噴送Ｆ１され、サイドフロアパネル９上面の穀粒は前記センタフロアパネル６及び排出口１へ噴送Ｆ２される。
【００２０】
又、前記スイープフロア１０を構成するセンタフロアパネル６と、この左右両側部のサイドフロアパネル９を、前記前壁３下部の排出口１部から奥壁４側端縁と前壁７奥端縁との間の槽奥角部にわたって傾斜直結の接合部Ａ上で接合する。
【００２１】
前記のように貯留槽２穀粒の排出行程の終端部において、センタフロアパネル６上面を排出口１側へ噴送される穀粒は、センタフロアパネル６の幅が排出口１側へ向うに従って順次吹幅狭くなるため、穀粒層が厚くなり、又は穀粒分布が密になって噴送効果が高く維持される。又、これらセンタフロアパネル６上面には、サイドフロアパネル８の傾斜直結する接合部Ａ上面側へ流下される穀粒を受けて排出口１側へ噴送Ｆ１する。このときこれらセンタフロアパネル６と、サイドフロアパネル８との間の継目に沿う接合部Ａは前壁３の排出口１側へ下り傾斜で直線状に形成されるため、このセンタフロアパネル６の左右両側部に沿って噴送Ｆ２される穀粒が抵抗少く円滑に排出される。
【００２２】
又、前記センタフロアパネル６の傾斜角度αを緩く形成するに対して、サイドフロアパネル９の傾斜角度βを急に設定する。
前記のように貯留穀粒を排出口１から取出排出させることができるが、この排出の最終行程では傾斜角度αを有するセンタフロアパネル６上面の穀粒が排出口１側へ噴送排出Ｆ１されるに伴って、サイドフロアパネル８上面の穀粒がセンタフロアパネル６上面を噴送Ｆ２される穀粒を合流して排出される。このとき、サイドフロアパネル８上面からセンタフロアパネル６上面へ噴送Ｆ２される穀粒は、傾斜角度βが前記センタフロアパネル６の傾斜角度αよりも急傾斜角度に形成されていて流下し易く形成されているため、これらサイドフロアパネル８上面の噴送処理を迅速に行わせると共に、センサフロアパネル６上面の噴送排出処理を迅速に有効に行わせる。
【００２３】
更には、前記傾斜のスイープフロア１０及び排出口１を形成した貯留槽２を、各排出口１から排出される穀粒を受けて搬送する取出コンベア１１の左右両側部に沿って配置し、各排出口１の前壁３と取出コンベア１１の側縁との間には、適宜間隔のシュート間隔Ｂを形成して、排出口１から取出コンベア１１へ排穀する取出シュート１２を設け、左右両側部の前壁３間には前記取出コンベア１１やシュート間隔Ｂの上側を覆う通路板１３を設ける。
【００２４】
前記のように貯留槽２の穀粒を取出して取出コンベア１１によって排出するときは、排出口１のシャッタ２３を開いて、この排出口１から取出シュート１２を経て取出コンベア１１へ排出させる。このような各貯留槽２の排出口１は、取出コンベア１１の左右両側部に配置されているため、この排出口１と対向する取出コンベア１１上側の通路板１３を取外すことによって、この排出口１部のシュート間隔Ｂ部を開いて、穀粒排出状態等を目視することができ、排出口１部や取出シュート１２部等の清掃等を行うことができる。
【００２５】
前記各貯留槽２の底部には、センタフロアパネル６を取付支持するセンタフレーム部２４と、サイドフロアパネル９を取付支持するサイドフレーム部２５を構成する。これらのセンタフレーム部２４は前記センタフロアパネル６を取付けて支持する略台形状形態の縁枠２６を備え、サイドフレーム部２５はサイドフロアパネル９を取り付けて支持する略三角形状形態の縁枠２７を備える。これら各縁枠２６、２７は、格子状に組合せた格子桟２８を有し、床面２９上に立設の支柱３０を介して支持させる。これら縁枠２６の奥辺部と、左右各縁枠２７の側辺部は、同一水平面上に配置して、縁枠２６、２７相互の対向辺部は、角形断面形態の角材３１、３２の上端外角部を突き合せた形態として、連結具３３で締付けて固定し、前記接合部Ａ上で接合するセンタフロアパネル６とサイドフロアパネル９との関係構成を安定維持させる。
【００２６】
前記センタフロアパネル６や、サイドフロアパネル９は、長方形や、三角形等の異なる平面形状のパネルＣ、Ｄ、Ｅを組合せ接合して構成する（図９）が、サイドフロアパネル９の各スリープスリット８は、センタフロアパネル６側へ向けてＦ２噴風するように形成している。又、各スイープスリット５、８の下側には噴風ガイド３４を形成して、下側の送風室１８から上側の貯留槽２への噴風案内を行わせる。
【００２７】
なお、図９の平面状のパネルＣ、Ｄ、Ｅはそれぞれのパネルの範囲が分かりやすいようにそれぞれ模様を付しているが、形状を示すものではなく、それぞれ多数のスリープスリット８が形成されている。
【符号の説明】
【００２８】
１    排出口
２    貯留槽
３    前壁
４    奥壁
５    スイープスリット
６    センタフロアパネル
７    側壁
８    スイープスリット
９    サイドフロアパネル
１０    スイープフロア
１１    取出コンベア
１２    取出シュート
１３    通路板
Ａ    接合部
Ｂ    シュート間隔
α    傾斜角度
β    傾斜角度
【図１】
0005776302.tif 000002
【図２】
0005776302.tif 000003
【図３】
0005776302.tif 000004
【図４】
0005776302.tif 000005
【図５】
0005776302.tif 000006
【図６】
0005776302.tif 000007
【図７】
0005776302.tif 000008
【図８】
0005776302.tif 000009
【図９】
0005776302.tif 000010